(57)【要約】  清浄剤作用を有する添加剤を含有する、燃料油及びガソリン燃料からの水の分離を改良又は促進するための、ヒドロカルビル置換したジカルボン酸の使用。前記ヒドロカルビル置換したジカルボン酸、清浄剤作用を有するある添加剤、及び場合により他の慣例的な添加剤及び溶媒又は希釈剤を含有する燃料添加濃縮物。【特許請求の範囲】
【請求項１】
（Ａ）１０〜３０００個の炭素原子の少なくとも１つのヒドロカルビル置換基を含むヒドロカルビル置換したジカルボン酸の、（Ｂ）清浄剤作用を有する少なくとも１つの添加剤を含む、燃料油及びガソリン燃料からの水の分離を改良又は促進するための使用。
【請求項２】
（Ａ）の少なくとも１つのヒドロカルビル置換基が、２０〜２００個の炭素原子を含むポリイソブテニル置換基である、請求項１に記載の使用。
【請求項３】
ヒドロカルビル置換したジカルボン酸（Ａ）が、一列に１〜１０個の炭素原子の２つのカルボン酸官能基間でヒドロカルビレン架橋基を含む、請求項１に記載の使用。
【請求項４】
ヒドロカルビル置換したジカルボン酸（Ａ）が、２０〜２００個の炭素原子を含む１つのポリイソブテニル置換基を有するポリイソブテニルコハク酸である、請求項１から３までのいずれか１項に記載の使用。
【請求項５】
添加剤成分（Ｂ）が、
（ｉ）コハク酸無水物に由来する部分を有し、かつヒドロキシル基及び／又はアミノ基及び／又はアミド基及び／又はイミド基を有する化合物、
（ｉｉ）無水物と反応性の少なくとも１つの酸素又は窒素含有基及びさらに少なくとも１つの四級化可能なアミノ基を含む化合物をポリカルボン酸無水物化合物に付加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
（ｉｖ）ポリイソブテニルモノアミン及びポリイソブテニルポリアミン、
（ｖ）モノアミノ基又はポリアミノ基によって末端化したポリオキシ−Ｃ2〜Ｃ4−アルキレン化合物、ここで少なくとも１つの窒素原子は塩基性の特性を有する
から選択される、請求項１から４までのいずれか１項に記載の使用。
【請求項６】
燃料油又はガソリン燃料が、さらに、添加剤成分（Ｃ）として、
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤を含む、請求項１から５までのいずれか１項に記載の使用。
【請求項７】
燃料油が、さらに、添加剤成分（Ｄ）として少なくとも１つのセタン価向上剤を含む、請求項１から６までのいずれか１項に記載の使用。
【請求項８】
燃料油が、
（ａ）０．１〜１００質量％の範囲までの、脂肪酸エステルを基礎とする少なくとも１つのバイオ燃料油、及び
（ｂ）０〜９９．９質量％の範囲までの、実質的に炭化水素混合物であり脂肪酸エステルを有さない、化石源及び／又は合成源及び／又は植物及び／又は動物源の中間留分
からなる、請求項１から７までのいずれか１項に記載の使用。
【請求項９】
燃料油が、もっぱら、実質的に炭化水素混合物であり脂肪酸エステルを有さない、化石源及び／又は合成源及び／又は植物及び／又は動物源の中間留分からなる、請求項１から８までのいずれか１項に記載の使用。
【請求項１０】
燃料油が、少なくとも１つの次の性質：
（α）５０ｍｇ／ｋｇ未満の硫黄含有率、
（β）８質量％の多環式芳香族炭化水素の最大含有率、
（γ）３６０℃以下で９５％の蒸留点（ｖｏｌ／ｖｏｌ）
を有する、請求項１から９までのいずれか１項に記載の使用。
【請求項１１】
以下、
（Ａ）０．０１〜４０質量％の、１０〜３０００個の炭素原子の少なくとも１つのヒドロカルビル置換基を含むヒドロカルビル置換したジカルボン酸、
（Ｂ）５〜４０質量％の
（ｉ）コハク酸無水物に由来する部分を有し、ヒドロキシル基及び／又はアミノ基及び／又はアミド基及び／又はイミド基を有する化合物、
（ｉｉ）無水物と反応性の少なくとも１つの酸素又は窒素含有基及びさらに少なくとも１つの四級化可能なアミノ基を含む化合物をポリカルボン酸無水物化合物に付加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
から選択される、清浄剤作用を有する少なくとも１つの添加剤、
（Ｃ）０〜５質量％の
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤、
（Ｄ）０〜７５質量％の少なくとも１つのセタン価向上剤、
（Ｅ）０〜５０質量％の少なくとも１つの溶媒又は希釈剤
を含む、燃料油中での使用に適した燃料添加剤濃縮物。
【請求項１２】
以下、
（Ａ）０．０１〜４０質量％の、１０〜３０００個の炭素原子の少なくとも１つのヒドロカルビル置換基を含むヒドロカルビル置換したジカルボン酸、
（Ｂ）５〜４０質量％の
（ｉ）コハク酸無水物に由来する部分を有し、ヒドロキシル基及び／又はアミノ基及び／又はアミド基及び／又はイミド基を有する化合物、
（ｉｖ）ポリイソブテニルモノアミン及びポリイソブテニルポリアミン、
（ｖ）モノアミノ基又はポリアミノ基によって末端化したポリオキシ−Ｃ2〜Ｃ4−アルキレン化合物、ここで少なくとも１つの窒素原子は塩基性の特性を有する
から選択される、清浄剤作用を有する少なくとも１つの添加剤
（Ｃ）０〜５質量％の
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤、
（Ｅ）０〜８０質量％の少なくとも１つの溶媒又は希釈剤、
（Ｆ）２〜５０質量％の、実質的に窒素を有さない、合成キャリヤー油及び鉱物キャリヤー油から選択される少なくとも１つのキャリヤー油
を含む、ガソリン燃料中での使用に適した燃料添加剤濃縮物。
【発明の詳細な説明】
【技術分野】
【０００１】
本発明は、（Ｂ）清浄剤作用を有する少なくとも１つの添加剤を含む、燃料油及びガソリン燃料からの水の分離を改良又は促進するための、１０〜３０００個の炭素原子の少なくとも１つのヒドロカルビル置換基を含むヒドロカルビル置換したジカルボン酸の使用に関する。
【０００２】
燃料油、例えば中間留分、例えばディーゼル燃料、暖房用オイル又はジェット燃料、並びにガソリン燃料は、しばしば、低温の燃料油又はガソリン燃料への、及び輸送及び貯蔵中の貯蔵タンク及びパイプラインへの水の凝縮によって、典型的に数ｐｐｍから数質量％までの範囲で少量の水を含む。この量の水は、部分的に貯蔵タンクの底部で相として分離され、部分的に燃料油又はガソリン燃料中で乳化される。輸送に対して、及び燃焼機関及び加熱装置における使用に対して深刻な問題を生じうるために、水の存在は望ましくない。
【０００３】
ドイツ出願公開特許１ ６４５ ７０５号（１）は、炭化水素混合物、例えば暖房用オイル及びディーゼル燃料をヘーズ除去する（ｄｅｈａｚｅ）ためのカルボン酸のアミドの使用を開示している。前記アミドと、他の中間留分の性能添加剤、例えば清浄剤作用を有する添加剤又はヘーズ除去作用を有する他の添加剤とのあらゆる可能な相互作用又は相乗的相互作用をもたらすヒントはない。（１）の教示としては、炭化水素混合物をヘーズ除去すること、すなわち、炭化水素−水−エマルションを生じることによってそれらを清浄することに関し、かかる技術溶液は、比較的少量の水でのみ作用し、この方法は、より多い量の水では失敗する。
【０００４】
中国特許明細書１０２２７７２１２ Ａ号（２）は、タール油脂肪酸、オレイン酸アミド及びナフタレン酸イミダゾリンの混合物であるディーゼル性能添加剤に関する。前記三成分の点化剤は、ディーゼル燃料をヘーズ除去する及び清浄するための乳化剤として推奨されている。前記（１）と同様に、前記アミドと、他の中間留分の性能添加剤、例えば清浄剤作用を有する添加剤又はヘーズ除去作用を有する他の添加剤とのあらゆる可能な相互作用又は相乗的相互作用をもたらすヒントはない。（２）の教示も、ディーゼル燃料をヘーズ除去すること、すなわち、炭化水素−水−エマルションを生じることによってそれらを清浄することに関し、かかる技術溶液は、比較的少量の水でのみ作用し、この方法は、より多い量の水では失敗する。
【０００５】
米国特許番号第４ １２９ ５０８号（３）は、ヒドロカルビル置換したコハク酸又はそれらの無水物と、ポリアルキレングリコール又はそれらのものエーテル、有機アルカリ金属塩及びアルコキシル化アミンとの反応生成物を開示している。かかる反応生成物は、ディーゼル燃料のような燃料における解乳化剤として作用する。
【０００６】
カナダ特許明細書２ ０２７ ２６９号（４）は、それぞれアルケニル置換又はアルキル置換で最大３２個の炭素原子を有するアルケニルコハク酸もしくはアルキルコハク酸又はそれらの無水物と、アルキルエーテルジアミンとの反応生成物を開示している。かかる反応生成物は、炭化水素燃料におけるヘーズ除去剤として作用する。
【０００７】
前記で挙げたいくつかの文献において言及される、及び当業者に一般に理解される“ヘーズ除去（ｄｅｈａｚｉｎｇ）”は、それぞれ水を含有する炭化水素又はディーゼル燃料を、炭化水素−水−エマルションを生じる（“乳化”）ことによって清浄することを意味し、分離相中で水を分離し（“解乳化”）、従って、相分離によって水を除去することが可能になることを含まない。
【０００８】
完全に又は実質的に完全に水を燃料油及びガソリン燃料から除去することができる適した添加剤を使用して、大量の水を、燃料油及びガソリン燃料から分離することが必要である。かかる添加剤は、有利な方法で燃料油又はガソリン燃料の存在で他の性能添加剤と相互作用すべきである。特に、清浄剤作用を有する現在の添加剤の、燃料の油−水−エマルション又はガソリンの燃料−水−エマルションの望ましくない形成及び安定化を支持する傾向は抑制されるべきである。
【０００９】
従って、清浄剤作用を有する１つ以上の添加剤を含有する、燃料油及びガソリン燃料からの水の分離を改良又は促進するための、ヒドロカルビル置換したジカルボン酸（Ａ）の前記で定義された使用が見出された。
【００１０】
本発明に従って、燃料油又はガソリン燃料中に存在する水は、分離装置の底部で層として分離され、その後容易に取り除かれる。この方法で取り除かれうる燃料油又はガソリン中の含水量は、通常約２００質量ｐｐｍ〜約１０質量％、特に約１０００質量ｐｐｍ〜約５質量％である。ヒドロカルビル置換したジカルボン酸（Ａ）との相互作用による燃料油又はガソリン燃料中での水の乳化は、無視してよい少量のみ生じる。
【００１１】
本発明に従って、ヒドロカルビル置換したジカルボン酸（Ａ）は、既に任意の性能添加剤なしで、しかし不十分な方法で燃料油又はガソリン燃料中に存在する大量の水で生じる、燃料油又はガソリン燃料から水の相分離を改良又は促進する。さらに、（Ａ）は、他の表面活性剤、特にある市販のヘーズ除去剤（ｄｅｈａｚｅｒ）が、燃料油及びガソリン燃料中に既に存在する場合に、燃料油及びガソリン燃料からの水の相分離を増大させる。驚くべきことに、天然の乳化剤による（Ａ）とある市販のヘーズ除去剤との相互作用は、改良した解乳化及び水相分離作用を導く。
【００１２】
ヒドロカルビル置換したジカルボン酸（Ａ）は、遊離酸の形で適用され、すなわち２つのＣＯＯＨ基が存在し、又は分子内無水物（例えばコハク酸無水物、グルタル酸無水物又はフタル酸無水物）又は２つのジカルボン酸の分子間に結合する分子間無水物であってよい、無水物の形で提供される。少量の範囲で、カルボン酸基のいくつかは、液相のｐＨ値に依存して、塩の形で、例えばアルカリ塩又はアルカリ金属塩として又はアンモニウム又は置換されたアンモニウム塩として存在してよい。単独のヒドロカルビル置換したジカルボン酸種（Ａ）又は種々のヒドロカルビル置換したジカルボン酸の混合物（Ａ）を使用してよい。
【００１３】
ジカルボン酸に対するヒドロカルビル置換基は、好ましくは１２〜２０００個、より好ましくは１４〜１０００個、さらにより好ましくは１６〜５００個、最も好ましくは２０〜２００個の炭素原子を有する。ヒドロカルビル置換基は、飽和又は不飽和の、直鎖又は分岐鎖であってよく、脂環式の、複素環式の又は芳香族の環系も含んでよい。ヒドロカルビル置換基の典型的な例は、鎖中で１０個、１１個、１２個、１３個、１４個、１５個、１６個、１７個、１８個、１９個、２０個、２１個、２２個、２４個、２６個、２８個及び３０個の炭素原子を有する、直鎖及び分岐鎖のアルキル基並びにアルケニル基を含む。
【００１４】
多くの場合に、かかるヒドロカルビル置換基は、オレフィンモノマー、例えばエテン、プロペン、１−ブテン、２−ブテン、イソブテン、１−ペンテン、１−ヘキセン、１−オクテン又は１−デセンのオリゴマー化又は重合によって合成製造され、続いて、かかるオリゴマー化又は重合の生成物の成分置換を適用してよい。典型的な例として、ドデシル又はドデセニル置換基は、プロペンの四量体化又はブテンの三量体化によって製造され、かつトリデシル又はトリデセニル置換基は、続くヒドロホルミル化によって前記Ｃ12置換基から製造される。
【００１５】
１０〜約３０個の炭素原子を有する置換基の場合に、かかる置換基は、天然源の置換基であってもよい。天然源の置換基は、通常、飽和又は不飽和の脂肪酸又は対応する脂肪アルコールに由来する。かかる天然源の置換基は、多くの場合直鎖である。
【００１６】
好ましい一実施形態において、（Ａ）の少なくとも１つのヒドロカルビル置換基は、２０〜２００個、好ましくは２４〜１６０個、より好ましくは２８〜１４０個、最も好ましくは３２〜１００個の炭素原子を含有するポリイソブテニル置換基である。代わりに、同族のポリマー種の可能な分布を考慮した場合に、ポリイソブテニル置換基の長さは、３００〜２８００、好ましくは３５０〜２３００、より好ましくは４００〜２０００、最も好ましくは４５０〜１４００の数平均分子量（Ｍn）によって定義されてよく、かかるＭn数は、通常、１．１〜４、好ましくは１．３〜２．５の多分散性（Ｍw／Ｍn）に関連する。典型的なポリイソブテニル置換基は、６０〜８０個の炭素原子を含有し、又は８５０〜１１５０の数平均分子量によって定義される。
【００１７】
ポリイソブテニル置換したジカルボン酸の合成方法、及びジカルボン酸分子への、すなわち２つのカルボン酸官能基間の架橋基へのポリイソブテニル置換基の付着方法に依存して、ポリイソブテニル置換基は、例えば、フリーデル・クラフツ反応によって芳香族ジカルボン酸（例えばフタル酸）にハロゲン化ポリイソブテニルを、又はオレフィン性不飽和ジカルボン酸（例えばマレイン酸又はマレイン酸無水物）にハロゲン化ポリイソブテニルを付着する場合に飽和であってよく、又は、例えばエン反応によってオレフィン性不飽和ジカルボン酸（例えばマレイン酸又はマレイン酸無水物）に末端二重結合を有するポリイソブテン分子を付着する場合に、ジカルボン酸分子への連結に続くオレフィン移住結合を含んでよい。
【００１８】
ヒドロカルビル置換したジカルボン酸（Ａ）自体は、脂肪族、脂環式、芳香族脂肪族、又は芳香族の性質であってよく、脂肪族ジカルボン酸が好ましい。本発明に適した典型的なヒドロカルビル置換したジカルボン酸（Ａ）は、ヒドロカルビル置換したマロン酸、ヒドロカルビル置換したコハク酸、ヒドロカルビル置換したグルタル酸、ヒドロカルビル置換したアジピン酸、ヒドロカルビル置換したピメリン酸、ヒドロカルビル置換したスベリン酸、ヒドロカルビル置換したアゼライン酸、ヒドロカルビル置換したセバシン酸、ヒドロカルビル置換したウンデカン二酸、ヒドロカルビル置換したドデカン二酸、ヒドロカルビル置換したフタル酸、ヒドロカルビル置換したイソフタル酸、ヒドロカルビル置換したテレフタル酸、ヒドロカルビル置換したｏ−、ｍ−、又はｐ−フェニレン二酢酸、ヒドロカルビル置換したマレイン酸、ヒドロカルビル置換したフマル酸及びヒドロカルビル置換したグルタコン酸に由来する。
【００１９】
好ましい一実施形態において、ヒドロカルビル置換したジカルボン酸（Ａ）は、２つのカルボン酸官能基間で、１〜１０個、好ましくは２〜８個、より好ましくは２〜６個、最も好ましくは２個、３個又は４個の炭素原子のヒドロカルビレン架橋基を一列で含む。かかる架橋炭素原子の列は、Ｃ1〜Ｃ4の側鎖を有する又は有さない直鎖の脂肪族アルキレン又はアルケニレン鎖、ベンゼン環を脂肪族炭素原子鎖中に導入する脂肪族芳香族架橋基、又はフェニレン架橋基であってよい。
【００２０】
特に好ましい一実施形態において、ヒドロカルビル置換したジカルボン酸（Ａ）は、２０〜２００個、好ましくは２４〜１６０個、より好ましくは２８〜１４０個、最も好ましくは３２〜１００個の炭素原子を含有する１つのポリイソブテニル置換基を有するポリイソブテニルコハク酸、又は、代わりに、３００〜２８００、好ましくは３５０〜２３００、より好ましくは４００〜２０００、最も好ましくは４５０〜１４００の数平均分子量（Ｍn）を有するポリイソブテニルを有するポリイソブテニルコハク酸である。かかる好ましいポリイソブテニルコハク酸は、本発明に従って、ポリイソブテニルコハク酸無水物の形で適用されてもよい。
【００２１】
本発明に従った燃料油からの水分離の使用に適している２つの遊離ＣＯＯＨ官能基を有するポリイソブテニルコハク酸は、対応する無水物の加水分解によって、すなわち該無水物を当量の水と混合し、約７０℃〜約１２０℃の温度まで十分な時間（通常２〜２０時間）加熱することによって、乾燥物質中で容易に製造されうる。
【００２２】
好ましい一実施形態の１つ又は双方において、好ましくは化合物（Ａ）の１つのカルボン酸基は、置換されたアンモニウム塩の塩であってよい。全ての４つの置換基における炭素原子の合計が、少なくとも１０個、好ましくは少なくとも１２個、より好ましくは少なくとも１４個、及び最も好ましくは少なくとも１６個である、第４級アンモニウム塩が好ましい。
【００２３】
前記置換基は、Ｃ1〜Ｃ20−アルキル、２−ヒドロキシ−Ｃ2〜Ｃ20−アルキル、Ｃ6〜Ｃ14−アリール、Ｃ5〜Ｃ14−ヘテロアリール、Ｃ7〜Ｃ14−アラルキル、及びω−ヒドロキシ−ポリオキシ−Ｃ2〜Ｃ50−アルキレンからなる群から選択される。好ましくは、前記置換基は、Ｃ1〜Ｃ20−アルキル、２−ヒドロキシ−Ｃ2〜Ｃ20−アルキル、及びω−ヒドロキシ−ポリオキシ−Ｃ2〜Ｃ50−アルキレンからなる群から選択される。
【００２４】
かかる置換基の例は、メチル、エチル、イソプロピル、ｎ−プロピル、ｎ−ブチル、イソブチル、ｓｅｃ−ブチル、ｔｅｒｔ−ブチル、ｎ−ヘキシル、ｎ−ヘプチル、ｎ−オクチル、ｎ−デシル、ｎ−ドデシル、ｎ−テトラデシル、ｎ−ヘキサデシル、ｎ−オクタデシル、ｎ−エイコシル、２−エチルヘキシル、２−プロピルヘプチル、２−ヒドロキシエチル、２−ヒドロキシプロピル、２−ヒドロキシブチル、２〜２０単位のエチレンオキシドを有するポリエチレンオキシド、及び２〜２０単位のプロピレンオキシドを有するポリプロピレンオキシドである。
【００２５】
好ましい置換されたアンモニウム塩は、第３級アミンとエポキシド、例えばエチレンオキシド、プロピレンオキシド、ブチレンオキシド又はスチレンオキシドとの反応によって得られるものである。
【００２６】
かかる第３級アミンは、好ましくは６〜２２個の炭素原子を有するジメチル脂肪アミン、又はジメチルアミン、ジエチルアミン、モルホリン、ピペリジン又はピロリドンで出発される２〜２０単位のエチレンオキシド及び／又はプロピレンオキシドを有するポリアルキレンオキシドである。
【００２７】
成分について洗浄成分を有する添加剤（Ｂ）は、本発明の記載内容において、内燃機関における又は加熱装置における、特に圧縮点火機関における又は火花点火機関、例えばディーゼルエンジン又はガソリンエンジンにおける効果が、特に機関の噴射器において又は吸気装置において、主に又は少なくとも本質的に堆積物を除去する及び／又は妨げることからなるこれらの化合物に関連する。従って、かかる“清浄剤”又は“清浄剤作用を有する添加剤”は、“堆積調節剤”ともいわれる。清浄剤は、好ましくは８５〜２００００、特に３００〜５０００、及び殊に５００〜２５０００の数平均分子量（Ｍn）を有する少なくとも１つの疎水性ヒドロカルビル基並びに少なくとも１つの極性部分を有する両親媒性物質である。
【００２８】
本発明の好ましい一実施形態において、燃料油は、
（ｉ）コハク酸無水物に由来し、かつヒドロキシル基及び／又はアミノ基及び／又はアミド基及び／又はイミド基を有する部分を有する化合物、
（ｉｉ）無水物と反応性の少なくとも１つの酸素又は窒素含有基及びさらに少なくとも１つの四級化可能なアミノ基を含む化合物をポリカルボン酸無水物化合物に付加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
（ｉｖ）ポリイソブテニルモノアミン及びポリイソブテニルポリアミン、
（ｖ）モノアミノ基又はポリアミノ基によって末端化したポリオキシ−Ｃ2〜Ｃ4−アルキレン化合物、ここで少なくとも１つの窒素原子は塩基性を有する
から選択される、清浄剤作用を有する少なくとも１つの添加剤成分（Ｂ）を含む。
【００２９】
添加剤成分（Ｂ）は、（ｉ）、（ｉｉ）、（ｉｉｉ）、（ｉｖ）もしくは（ｖ）の群の１つの単独種、又は（ｉ）〜（ｖ）の群の１つからの異なる種の混合物、又は（ｉ）〜（ｖ）の群のいくつかからの異なる種の混合物を含んでよい。
【００３０】
コハク酸無水物に由来し、かつヒドロキシル基及び／又はアミノ基及び／又はアミド基及び／又はイミド基を有する部分を有する添加剤（ｉ）は、好ましくは、Ｍn＝３００〜５０００、特にＭn＝５００〜２５００を有する従来の又は高反応性のポリイソブテニルとマレイン酸無水物との、熱経路による又は塩素化ポリイソブテンによる反応によって得られる、ポリイソブテニルコハク酸無水物の対応する誘導体である。本記載内容において特に興味深いのは、脂肪族ポリアミン、例えばエチレンジアミン、ジエチレントリアミン、トリエチレンテトラミン又はテトラエチレンペンタミンとの誘導体である。ヒドロキシル基及び／又はアミノ基及び／又はアミド基及び／又はイミド基を有する部分は、例えば、アミド基に加えて遊離アミン基も有するカルボン酸基、酸アミド、ジアミン又はポリアミンの酸アミド、酸及びアミド基を有する酸誘導体、イミド基に加えて遊離アミン基も有するモノアミンを有するカルボキシイミド、ジアミン又はポリアミンを有するカルボキシイミド、並びにジアミン又はポリアミンと２つのコハク酸誘導体との反応によって形成あれるジイミドである。かかる燃料添加剤は、特にＵＳ−Ａ ４ ８４９ ５７２号において記載されている。
【００３１】
前記分（ｉｉ）に従った酸の存在で又は酸を有さない方法で四級化した窒素化合物は、無水物と反応性の少なくとも１つの酸素又は窒素含有基及びさらに少なくとも１つの四級化可能なアミノ基を含む化合物をポリカルボン酸無水物化合物に付加し、続いて遊離酸の不在下で特にエポキシド、例えばスチレン又はプロピレンオキシドで（ＷＯ ２０１２／００４３００号において記載されるように）、又はカルボン酸エステル、例えばジメチルオキサレート又はメチルサリチレートで四級化することによって得られる。無水物と反応性の少なくとも１つの酸素又は窒素含有基、及びさらに少なくとも１つの四級化可能なアミノ基を有する適した化合物は、特に、少なくとも１つの第一級又は第二級アミノ基及び少なくとも１つの第四級基を有するポリアミンである。有用なポリカルボン酸無水物は、特に、比較的長鎖のヒドロカルビル置換基、好ましくは２００〜１００００、特に３５０〜５０００のヒドロカルビル基についての数平均分子量Ｍnを有する、ジカルボン酸、例えばコハク酸である。かかる四級化窒素化合物は、例えば、ポリイソブテニル基が典型的に１０００のＭnを有するポリイソブテニルコハク酸無水物と、ポリイソブテニルコハク酸モノアミドを構成する３−（ジメチルアミノ）ポリアミンとの４０℃で得られる反応生成物であり、続いてジメチルオキサレート又はメチルサリチレートでの又は遊離酸の不在下でスチレンオキシド又はプロピレンオキシドで四級化される。
【００３２】
前記群（ｉｉ）に従った他の窒素化合物は、以下に記載されている：
ＷＯ ２００６／１３５８８１号Ａ１、５頁１３行目〜１２頁１４行目、
ＷＯ １０／１３２２５９号 Ａ１、３頁２８行目〜１０頁２５行目、
ＷＯ ２００８／０６０８８８号Ａ２、６頁１５行目〜１４頁２９行目、
ＷＯ ２０１１／０９５８１９号Ａ１、４頁５行目〜９頁２９行目、
ＧＢ ２４９６５１４号Ａ、段落番号［０００１２］〜段落番号［０００４１］、
ＷＯ ２０１３／１１７６１６号Ａ１、３頁３４行目〜１１頁２行目、
未公開欧州特許明細書ファイル番号１３１７２８４１．２号（出願日２０１３年６月１９日）、３頁１４行目〜５頁９行目、
未公開欧州特許明細書ファイル番号１３１７１０５７．６号（出願日２０１３年６月７日）、５頁２８〜３５行目及び１３頁８行目〜１７頁２８行目、
未公開欧州特許明細書ファイル番号１３１８５２８８．１号（出願日２０１３年９月２０日）、４頁３５行目〜５頁１０行目及び１３頁２７行目〜２１頁２行目、
未公開国際特許明細書ファイル番号ＰＣＴ／ＥＰ２０１３／０７２１６９号（出願日２０１３年１０月２３日）、５頁１８行目〜６頁１８行目及び１５頁２６行目〜１９頁１７行目、
ＷＯ ２０１３／０６４６８９号Ａ１、１８頁１６行目〜２９頁８行目、並びに
ＷＯ ２０１３／０８７７０１号Ａ１、１３頁２５行目〜１９頁３０行目、
それぞれ参照をもって本明細書に組み込まれたものとする。
【００３３】
前記群（ｉｉｉ）に従ったポリテトラヒドロベンゾキサジン及びビステトラヒドロベンゾキサジンは、ＷＯ ２０１２／０７６４２８号において記載されている。かかるポリテトラヒドロベンゾキサジン及びビステトラヒドロベンゾキサジンは、連続して、第一の反応工程において、第二級アミノ基、例えば１，２−エチレンジアミンを有するＣ1〜Ｃ20−アルキレンジアミンと、Ｃ1〜Ｃ12−アルデヒド、例えばホルムアルデヒドと、Ｃ1〜Ｃ8−アルカノールとを反応することによって（アルデヒド及びアルコールの双方は、ジアミンと比較して、２倍より多くのモル量で、特にそれぞれの場合に４倍のモル量で使用されてよい）、第二の反応工程において、得られた縮合生成物と、１０００のＭnを有する６〜３０００個の炭素原子を有する少なくとも１つの長鎖の置換基、例えばｔｅｒｔ−オクチル基、ｎ−オクチル基、ｎ−ドデシル基又はポリイソブチル基を有するフェノールとを１．２：１〜３：１の当初の使用したアルキレンジアミンと比較した化学量論比で、３０〜１２０℃の温度で反応することによって、及び場合により第三の反応工程において、得られたビステトラヒドロベンゾキサジンを１２５〜２８０℃の温度まで少なくとも１０分間加熱することによって得られる。
【００３４】
前記群（ｉｖ）に従ったポリイソブテニルモノアミン及びポリイソブテニルポリアミンは、好ましくは、少なくとも２０％、好ましくは少なくとも５０％、及びより好ましくは少なくとも７０％のより反応性のメチル−ビニリデン異性体を含むポリイソブテンを基礎とする。適したポリイソブテンは、ＢＦ3触媒を使用して製造されたものを含む。メチルビニリデン異性体を合計組成物のかかる高いパーセンテージで含むかかるポリイソブテンの製造は、例えばＵＳ−Ａ ４，１５２，４９９号及びＵＳ−Ａ ４，６０５，８０８号において記載されている。
【００３５】
高いメチルビニリデン含有率を有する適したポリイソブテンの例は、双方ともＢｒｉｔｉｓｈ Ｐｅｔｒｏｌｅｕｍ社から市販されている、Ｕｌｔｒａｖｉｓ（登録商標）３０（約１３００ｇ／ｍｏｌの数平均分子量（Ｍn）及び約７４％のメチルビニリデン含有率を有するポリイソブテン）、及びＵｌｔｒａｖｉｓ（登録商標）１０（約７６％のメチルビニリデン含有率を有する９５０ｇ／ｍｏｌの数平均分子量のポリイソブテン）を含む。約１０００の数平均分子量（Ｍn）及び高いメチルビニリデン含有率を有する適したポリイソブテンの他の例は、ＢＡＳＦ ＳＥ社製のＧｌｉｓｓｏｐａｌ（登録商標）１０００である。
【００３６】
ポリイソブテニルモノアミン又はポリアミンのアミン成分は、アンモニア、モノアミン又はポリアミンに由来する。モノアミン又はポリアミン成分は、１〜約１２個のアミン窒素原子及び１〜４０個の炭素原子を有するアミンを含む。炭素と窒素との割合は、約１：１〜約１０：１であってよい。一般に、モノアミンは、１〜約４０個の炭素原子を含み、かつポリアミンは、２〜約１２個のアミン窒素原子及び２〜約４０個の炭素原子を含む。アミン成分は、純粋な単独生成物又は設計されたアミンの主な量を有する化合物の混合物であってよい。
【００３７】
アミン成分がポリアミンである場合に、アミン成分は、好ましくは、ポリアルキレンポリアミンである。好ましくは、アルキレン基は、２〜６個の炭素原子、より好ましくは２個、３個又は４個の炭素原子を含む。かかるポリアミンの例は、エチレンジアミン、ジエチレントリアミン、トリエチレンテトラミン及びテトラエチレンペンタミンを含む。好ましいポリイソブテニルモノアミンは、特に少なくとも５０％及びより好ましくは少なくとも７０％の高いメチルビニリデン含有率を有するポリイソブテンのヒドロホルミル化及び続くアンモニアでの反応性アミノ化によって得られる生成物である。前記ポリイソブテニルポリアミン又はモノアミンの製造は、例えばＥＰ−Ａ ０ ２４４ ６１６号において詳細に記載されている。
【００３８】
本発明において使用されるポリイソブテニルポリアミン又はポリアミンの数平均分子量（Ｍn）は、通常、５００〜２５００ｇ／ｍｏｌ、典型的に約５５０ｇ／ｍｏｌ、約７５０ｇ／ｍｏｌ、約１０００ｇ／ｍｏｌ又は約１３００ｇ／ｍｏｌの範囲である。ポリイソブテニルポリアミン又はポリイソブテニルポリアミンの数平均分子量の好ましい範囲は、５５０〜１０００ｇ／ｍｏｌである。ポリイソブテニルモノアミン又はポリアミンは、ほとんど純粋な単独生成物ではなく、むしろ、前記で示した数平均分子量を有する化合物の混合物である。通常、分子量の範囲は、比較的狭く、示した分子量の近くの最大値を有する。
【００３９】
前記群（ｖ）に従ったモノアミノ基又はポリアミノ基によって末端化し、塩基性を有する少なくとも１つの窒素原子を有するポリオキシ−Ｃ2〜Ｃ4−アルキレン化合物は、好ましくは、Ｃ2〜Ｃ60−アルカノール、Ｃ6〜Ｃ30−アルカンジオール、モノ−又はジ−Ｃ2〜Ｃ30−アルキルアミン、Ｃ1〜Ｃ30−アルキルシクロヘキサノール又はＣ1〜Ｃ30−アルキルフェノールと、１つのヒドロキシル基又はアミノ基あたり１〜３０モルのエチレンオキシド及び／又はプロピレンオキシド及び／又はブチレンオキシドとの反応によって、及び中間体としてのポリエーテルの場合に、続いてアンモニア、モノアミン又はポリアミンで反応性アミノ化することによって得られるポリエーテルアミンである。かかる生成物は、特に、ＥＰ−Ａ ３１０ ８７５号、ＥＰ−Ａ ３５６ ７２５号、ＥＰ−Ａ ７００ ９８５号及びＵＳ−Ａ ４ ８７７ ４１６号において記載されている。群（ｖ）の添加剤の典型的な例は、トリデカノールブトキシレート、イソトリデカノールブトキシレート、イソノニル−フェノールブトキシレート及びポリイソブテノールブトキシレート、並びに続けてアンモニアと反応されるプロポキシレートである。
【００４０】
本発明の範囲内で、ヒドロカルビル置換したジカルボン酸（Ａ）は、好ましくは、燃料油の場合に成分（Ｂ）について四級化窒素化合物（ｉｉ）と一緒に使用される。
【００４１】
本発明の範囲内で、ヒドロカルビル置換したジカルボン酸（Ａ）は、好ましくは、燃料油の場合に成分（Ｂ）について、コハク酸無水物に由来し、かつヒドロキシル基及び／又はアミノ基及び／又はアミド基及び／又はイミド基を有する部分を有する化合物（ｉ）のみと一緒に、又はポリイソブテニルモノアミン又はポリイソブテニルポリアミン（ｖ）のみと一緒に、又はコハク酸無水物に由来し、かつヒドロキシル基及び／又はアミノ基及び／又はアミド基及び／又はイミド基を有する部分を有する化合物（ｉ）とポリイソブテニルモノアミン又はポリイソブテニルポリアミン（ｖ）の混合物と一緒に使用される。
【００４２】
さらに、本発明のヒドロカルビル置換したジカルボン酸（Ａ）及び成分として清浄剤作用を有する少なくとも１つの添加剤（Ｂ）は、
（Ｃ１）エチレンオキシド、プロピレンオキシド、ブチレンオキシド、スチレンオキシド及び／又は他のオキシドのアルコキシル化コポリマー、例えばエポキシベースの樹脂
（Ｃ２）アルコキシル化フェノールホルムアルデヒド樹脂
から選択される添加剤成分（Ｃ）としてのみ使用される場合に、それ自体で乳化作用を呈する少なくとも１つのヘーズ除去剤と一緒に適用される場合に、燃料油及びガソリン燃料から水の分離を改良及び／又は促進することにおける優れた性能（さらに相乗作用という意味で）を呈する。
【００４３】
ヘーズ除去成分（Ｃ１）及び（Ｃ２）は、通常市販されている製品であり、例えばＴｏｌａｄ（登録商標）の商標名、例えばＴｏｌａｄ（登録商標）２８９８、９３６０Ｋ、９３４８、９３５２Ｋ、９３２７又は２８６ＫでＢａｋｅｒ Ｐｅｔｒｏｌｉｔｅ社から市販されているヘーズ除去製品である。
【００４４】
本発明の他の好ましい一実施形態において、燃料油は、さらに、添加剤成分（Ｄ）として少なくとも１つのセタン価向上剤を含む。使用されるセタン価向上剤は、典型的に有機硝酸塩である。かかる有機硝酸塩は、典型的に、通常約１０個まで、特に２〜１０個の炭素原子を有する非置換又は置換された脂肪族又は脂環式アルコールの硝酸エステルである。これらの硝酸エステルにおけるアルキル基は、直鎖又は分枝鎖であってよく、かつ飽和又は不飽和であってよい。かかる硝酸エステルの典型的な例は、メチルニトレート、エチルニトレート、ｎ−プロピルニトレート、イソプロピルニトレート、アリルニトレート、ｎ−ブチルニトレート、イソブチルニトレート、ｓｅｃ−ブチルニトレート、ｔｅｒｔ−ブチルニトレート、ｎ−アミルニトレート、イソアミルニトレート、２−アミルニトレート、３−アミルニトレート、ｔｅｒｔ−アミルニトレート、ｎ−ヘキシルニトレート、ｎ−ヘプチルニトレート、ｓｅｃ−ヘプチルニトレート、ｎ−オクチルニトレート、２エチルヘキシルニトレート、ｓｅｃ−オクチルニトレート、ｎ−ノニルニトレート、ｎ−デシルニトレート、シクロペンチルニトレート、シクロヘキシルニトレート、メチル−シクロヘキシルニトレート及びイソプロピルシクロヘキシルニトレート、及びＷＯ ２００８／０９２８０９号において記載されている式Ｒ1Ｒ2ＣＨ−2−Ｏ−ＮＯ2（式中、Ｒ1はｎ−プロピル又はイソプロピル基であり、Ｒ2は５個の炭素原子を有する直鎖又は分枝鎖のアルキル基である）の分枝鎖のデシルニトレートである。さらに適しているのは、例えば、アルコキシ置換した脂肪族アルコールの硝酸エステル、例えば２−エトキシエチルニトレート、２−（２−エトキシ−エトキシ）エチルニトレート、１−メトキシプロピルニトレート又は４−エトキシブチルニトレートである。さらに適しているのは、ジオールニトレート、例えば１，６−ヘキサメチレンジニトレートである。挙げられたセタン価向上剤の種類の中で、第一級アミルニトレート、第一級ヘキシルニトレート、オクチルニトレート及びそれらの混合物が好ましい。最も好ましくは、２−エチルヘキシルニトレートが、単独のセタン価向上剤として又は他のセタン価向上剤との混合物で、燃料油中に存在する。
【００４５】
本発明の記載内容において、燃料油は、好ましくは中間留分燃料、特にディーゼル燃料を意味する。しかしながら、暖房用オイル、ジェット燃料及び灯油シェルも含まれる。ディーゼル燃料又は中間留分燃料は、典型的に、一般に１００〜４００℃の沸点範囲を有する鉱油ラフィネートである。これらは、通常、３６０℃まで又はそれ以上の９５％ポイントを有する蒸留物である。しかしながら、それらは、例えば、３４５℃以下及び硫黄含有率０．００５質量％以下の９５％ポイントによって、又は例えば２８５℃及び硫黄含有率０．００１質量％以下の９５％ポイントによって特徴付けられる、“超低硫黄軽油”又は“都市ディーゼル（ｃｉｔｙ ｄｉｅｓｅｌ）”と言われるものであってもよい。比較的長鎖のパラフィンである主な構成物を精製することによって得られるディーゼル燃料に加えて、石炭ガス化又はガス液化（“ｇａｓ ｔｏ ｌｉｑｕｉｄ（ＧＴＬ）”燃料）による合成法で得られるものも適している。前記ディーゼル燃料と再生可能な燃料（バイオ燃料油）、例えばバイオディーゼル又はバイオエタノールとの混合物も適している。現在特に興味深いのは、低い硫黄含有率を有する、すなわち０．０５質量％未満、好ましくは０．０２質量％未満、特に０．００５質量％未満、及び殊に０．００１質量％未満の硫黄含有率を有するディーゼル燃料である。
【００４６】
好ましい一実施形態において、ヒドロカルビル置換したジカルボン酸（Ａ）は、
（ａ）０．１〜１００質量％の範囲まで、好ましくは０．１〜１００質量％未満の範囲まで、特に１０〜９５質量％の範囲まで、及び殊に３０〜９０質量％の範囲までの脂肪酸エステルに基づく少なくとも１つのバイオ燃料、及び
（ｂ）０〜９９．９質量％の範囲まで、好ましくは０より多く９９．９質量％までの範囲まで、特に５〜９０質量％の範囲まで、及び殊に１０〜７０質量％の範囲までの、実質的に炭化水素混合物であり脂肪酸エステルを有さない、化石源及び／又は合成源及び／又は植物及び／又は動物源の中間留分
からなる燃料油中で、（Ｃ）が所望される場合に、及び（Ｄ）が所望される場合に、前記成分（Ｂ）と一緒に使用される。
【００４７】
ヒドロカルビル置換したジカルボン酸（Ａ）は、もっぱら、実質的に炭化水素混合物であり脂肪酸エステルを有さない、化石源及び／又は合成源及び／又は植物及び／又は動物源の中間留分からなる燃料油中で、（Ｃ）が所望される場合に、及び（Ｄ）が所望される場合に、前記成分（Ｂ）と一緒に使用されてもよい。
【００４８】
燃料油成分（ａ）は、通常“バイオディーゼル”ともいわれる。これは、好ましくは、実質的に、植物及び／又は動物のオイル及び／又は脂肪に由来する脂肪酸のアルキルエステルを含む。アルキルエステルは、典型的に、植物及び／又は動物のオイル及び／又は脂肪中で生じるグリセリド、特にトリグリセリドを、低級アルコール、例えばエタノール、ｎ−プロパノール、イソプロパノール、ｎ−ブタノール、イソブタノール、ｓｅｃ−ブタノールを、ｔｅｒｔ−ブタノール又は特にメタノール（“ＦＡＭＥ”）によってトランスエステル化することによって得られる低級アルキルエステル、特にＣ1〜Ｃ4−アルキルエステルをいう。
【００４９】
対応するアルキルエステルに変換でき、かつ従ってバイオディーゼルの基として供給できる植物油の例は、ヒマシ油、オリーブ油、ピーナッツ油、パーム核油、ココナッツ油、マスタード油、綿実油、並びに特にヒマワリ油、パーム油、大豆油及び菜種油である。他の例は、コムギ、ジュート、ゴマ及びシアバターの実から得られてよい油を含み、さらに、落花生油、ジャトロファ油及びアマニ油を使用することも可能である。これらの油の抽出及びそれらのアルキルエステルへの変換は、当業者に公知であり、又は当業者から推測されうる。
【００５０】
場合により適した清浄後に、既に使用した植物油、例えば使用したたっぷりの揚げ油を、アルキルエステルに変換することも可能であり、従ってそれらのためにバイオディーゼルの基を提供することも可能である。
【００５１】
植物脂肪を、主に同様に、バイオディーゼルのための源として使用できるが、より少ない役割を果たす。
【００５２】
対応するアルキルエステルに変換でき、従ってバイオディーゼルの基として供給できる動物の油及び脂肪の例は、魚油、牛脂、豚脂、並びに家畜又は野生の動物の屠殺及び使用における廃棄物として得られる同様の脂肪及び油である。
【００５３】
通常１２〜２２個の炭素原子を有し、かつ追加の官能基、例えばヒドロキシル基を有してよく、アルキルエステル中で生じる、前記植物及び／又は動物の油及び／又は脂肪の元の飽和又は不飽和脂肪酸は、特に、ラウリン酸、ミリスチン酸、パルミチン酸、ステアリン酸、オレイン酸、リノール酸、リノレン酸、エライジン酸、エルシン酸及び／又はリシノール酸である。
【００５４】
バイオディーゼル又はバイオディーゼル成分としての使用を見いだせる植物及び／又は動物の油及び／又は脂肪に基づく典型的な低級アルキルエステルは、例えばヒマワリのメチルエステル、パーム油のメチルエステル（“ＰＭＥ”）、大豆油のメチルエステル（“ＳＭＥ”）及び特に菜種油のメチルエステル（“ＲＭＥ”）である。
【００５５】
しかしながら、それらのモノグリセリド、ジグリセリド及び特にトリグリセリド、例えばひまし油、又はかかるグリセリドの混合物を、バイオディーゼル又はバイオディーゼルのための成分として使用することもできる。
【００５６】
本発明の記載内容において、燃料油成分（ｂ）は、前記中間留分燃料、特にディーゼル燃料、特に１２０〜４５０℃の範囲で沸騰するものを意味すると解されるべきである。
【００５７】
他の好ましい一実施形態において、ヒドロカルビル置換したジカルボン酸（Ａ）は、少なくとも１つの次の性質を有する燃料油中で、前記成分（Ｂ）、（Ｃ）及び、所望の場合に（Ｄ）と一緒に使用される：
（α）５０ｍｇ／ｋｇ（０．００５質量％に相当）未満、特に１０ｍｇ／ｋｇ（０．００１質量％に相当）未満の硫黄含有率、
（β）８質量％の多環式芳香族炭化水素の最大含有率、
（γ）３６０℃以下で９５％の蒸留点（ｖｏｌ／ｖｏｌ）。
【００５８】
（β）における多環式芳香族炭化水素は、標準ＥＮ １２９ １６に従った多芳香族炭化水素を意味すると解されるべきである。それらは、この標準に従って定義される。
【００５９】
燃料油は、本発明の記載内容において、一般に１〜１０００質量ｐｐｍ、好ましくは５〜５００質量ｐｐｍ、より好ましくは３〜３００質量ｐｐｍ、最も好ましくは５〜２００質量ｐｐｍ、例えば１０〜１００質量ｐｐｍの量で、前記ヒドロカルビル置換したジカルボン酸を含む。
【００６０】
清浄剤作用（Ｂ）を有する添加剤、又は清浄剤作用を有する複数のかかる添加剤の混合物は、燃料油中で、典型的に１０〜２０００質量、好ましくは２０〜１０００質量ｐｐｍ、より好ましくは５０〜５００質量ｐｐｍ、最も好ましくは３０〜２５０質量ｐｐｍ、例えば５０〜１５０質量ｐｐｍの量で存在する。
【００６１】
添加剤成分（Ｃ）としての１つ以上のヘーズ除去剤は、任意の場合に、燃料油中で、一般に０．５〜１００質量ｐｐｍ、好ましくは１〜５０質量ｐｐｍ、より好ましくは１．５〜４０質量ｐｐｍ、最も好ましくは２〜３０質量ｐｐｍ、例えば３〜２０質量ｐｐｍの量で存在する。
【００６２】
セタン価向上剤（Ｄ）又は複数のセタン価向上剤の混合物は、燃料油中で、通常１０〜１００００質量、好ましくは２０〜５０００質量ｐｐｍ、より好ましくは５０〜２５００質量ｐｐｍ、最も好ましくは１００〜１０００質量ｐｐｍ、例えば１５０〜５００質量ｐｐｍの量で存在する。
【００６３】
本発明の主題は、
（Ａ）０．０１〜４０質量％、好ましくは０．０５〜２０質量％、より好ましくは０．１〜１０質量％の、１０〜３０００個の炭素原子の少なくとも１つのヒドロカルビル置換基を含むヒドロカルビル置換したジカルボン酸、
（Ｂ）５〜４０質量％、好ましくは１０〜３５質量％、より好ましくは１５〜３０質量％の
（ｉ）コハク酸無水物に由来する部分を有し、ヒドロキシル基及び／又はアミノ基及び／又はアミド基及び／又はイミド基を有する化合物、
（ｉｉ）無水物と反応性の少なくとも１つの酸素又は窒素含有基及びさらに少なくとも１つの四級化可能なアミノ基を含む化合物をポリカルボン酸無水物化合物に付加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
から選択される、清浄剤作用を有する少なくとも１つの添加剤
（Ｃ）０〜５質量％、好ましくは０．０１〜５質量％、より好ましくは０．０２〜３．５質量％、最も好ましくは０．０５〜２質量％の
（Ｃ１）エチレンオキシド、プロピレンオキシド、ブチレンオキシド、スチレンオキシド及び／又は他のオキシドのアルコキシル化コポリマー、例えばエポキシベースの樹脂、
（Ｃ２）アルコキシル化フェノールホルムアルデヒド樹脂
から選択される少なくとも１つのヘーズ除去剤、
（Ｄ）０〜７５質量％、好ましくは５〜７５質量％、より好ましくは１０〜７０質量％の少なくとも１つのセタン価向上剤、
（Ｅ）０〜５０質量％、好ましくは５〜５０質量％、より好ましくは１０〜４０質量％の少なくとも１つの溶媒又は希釈剤
を含む、燃料油中での、特にディーゼル燃料中での使用に適した燃料添加剤濃縮物でもある。
【００６４】
それぞれの場合に、成分（Ａ）、（Ｂ）、（Ｃ）、（Ｄ）及び（Ｅ）の合計は、１００％である。
【００６５】
前記燃料油、例えばディーゼル燃料、又は化石、合成、植物もしくは動物源のバイオ燃料油及び中間留分の混合物は、ヒドロカルビル置換したジカルボン酸（Ａ）及び成分（Ｂ）及び任意の場合に（Ｃ）及び／又は（Ｄ）に加えて、共添加剤（ｃｏａｄｄｉｔｉｖｅ）として、それらの慣例的な量で、他の慣例的な添加剤成分、特に低温流動向上剤、腐食抑制剤、他の解乳化剤、脱泡剤、酸化防止剤及び安定剤、金属不活性化剤、帯電防止剤、潤滑向上剤、染料（マーカー）及び／又は希釈剤及び溶媒を含んでよい。前記燃料添加濃縮物は、それらの慣例的な量で、一定の前記共添加剤、例えば腐食向上剤、他の解乳化剤、脱泡剤、酸化防止剤及び安定剤、金属不活性化剤、帯電防止剤及び潤滑向上剤を含む。
【００６６】
他の共添加剤として適した低温流動向上剤は、例えば、エチレンと少なくとも１つの他の不飽和モノマーとのコポリマー、特にエチレン−酢酸ビニルコポリマーである。
【００６７】
他の共添加剤として適した腐食阻害剤は、例えば、コハク酸エステル、特にポリオール、脂肪酸誘導体、例えばオレイン酸エステル、オリゴマー化脂肪酸及び置換されたエタノールアミンである。
【００６８】
他の共添加剤として適した解乳化剤は、例えば、アルキル置換したフェノール及びナフタレンスルホネートのアルカリ金属及びアルカリ土類金属塩、並びに脂肪酸のアルカリ金属及びアルカリ土類金属塩、並びにアルコールアルコキシレート、例えばアルコールエトキシレート、フェノールアルコキシレート、例えばｔｅｒｔ−ブチルフェノールエトキシレート又はｔｅｒｔ−ペン散るフェノールエトキシレート、脂肪酸自体、アルキルフェノール、エチレンオキシドとプロピレンオキシドとの縮合生成物、例えばエチレンオキシド−プロピレンオキシドブロックコポリマー、ポリエチレンイミン、及びポリシロキサンである。
【００６９】
他の共添加剤として適した脱泡剤は、例えば、ポリエーテル改質したポリシロキサンである。
【００７０】
他の共添加剤として適した酸化防止剤は、例えば置換したフェノール、例えば２，６−ジ−ｔｅｒｔ−ブチルフェノール及び２，６−ジ−ｔｅｒｔ−ブチル−３−メチルフェノール、並びにフェニレンジアミン、例えばＮ，Ｎ’−ジ−ｓｅｃ−ブチル−ｐ−フェニレンジアミンである。
【００７１】
他の共添加剤として適した金属不活性化剤は、例えばサリチル酸誘導体、例えばＮ，Ｎ’−ジサリチリデン−１，２−プロパンジアミンである。
【００７２】
他の共添加剤として適した潤滑向上剤は、例えばグリセリルモノオレートである。
【００７３】
特にディーゼル性能パッケージのための成分（Ｅ）として適した溶媒及び希釈剤は、例えば、非極性有機溶媒、特に芳香族及び脂肪族炭化水素、例えばトルエン、キシレン、“揮発油”及び名称Ｓｈｅｌｌｓｏｌ（登録商標）（Ｒｏｙａｌ Ｄｕｔｃｈ／Ｓｈｅｌｌ Ｇｒｏｕｐ社製）、Ｅｘｘｏｌ（登録商標）（ＥｘｘｏｎＭｏｂｉｌ社製）及びＳｏｌｖｅｎｔ Ｎａｐｈｔｈａの技術的溶媒混合物である。ここで有用でもあるのは、特に挙げた非極性有機溶媒とのブレンドで、極性有機溶媒、特にアルコール、例えば２−エチルヘキサノール、デカノール及びイソトリデカノールである。
【００７４】
本発明の他の好ましい一実施形態において、ガソリン燃料は、さらに、添加剤成分（Ｆ）として、実質的に窒素を有さない、合成キャリヤー油及び鉱油から選択される少なくとも１つのキャリヤー油を含んでよい。かかる燃料可溶性の、不揮発性のキャリヤー油は、特に、ガソリン燃料添加剤系及びガソリン燃料添加剤濃縮物の必須部分として、添加剤成分（Ｂ）についてのポリイソブテニルモノアミンとポリアミンとの（ｉｖ）、及びポリエーテルアミン（ｖ）との組み合わせで、使用されるべきである。成分（Ｆ）のキャリヤー油は、合成油又は鉱油であってよく、本発明について、精製した石油系油分も、鉱油であると解される。
【００７５】
成分（Ｆ）のキャリヤー油は、典型的に、約５０〜約２０００質量ｐｐｍのガソリン燃料、好ましくは１００〜８００質量ｐｐｍのガソリン燃料の範囲の量で使用される。好ましくは、キャリヤー油（Ｆ）と添加剤成分（Ｂ）との割合は、０．３５：１〜１０：１、典型的に０．４：１〜２：１の範囲である。
【００７６】
適した鉱物キャリヤー油の例は、特に、粘度クラスＳｏｌｖｅｎｔ Ｎｅｕｔｒａｌ（ＳＮ）５００〜２０００のもの、並びに芳香族及びパラフィン系のアルコキシアルカノールである。他の有用な鉱物キャリヤー油は、精製した鉱油（約３６０〜５００℃の沸点；異性化され、パラフィン成分を有さず、かつ高圧下で触媒により水素化された天然鉱油から得られる）から得られる“水素化分解油（ｈｙｄｒｏｃｒａｃｋ ｏｉｌ）”として公知の留分である。
【００７７】
本発明のために使用されうる合成キャリヤーについての例は、ポリ−アルファ−オレフィン又はポリ−内部−オレフィンに基づく４００〜１８００ｇ／ｍｏｌの数平均分子量を有するオレフィンポリマー、特にポリブテンに又はポリイソブテン（水素化されている又は水素化されていない）に基づくものである。適した合成キャリヤー油についての他の例は、ポリエステル、ポリアルコキシレート、ポリエーテル、アルキルフェノールで開始されるポリエーテル、及び長鎖アルカノールのカルボン酸である。
【００７８】
本発明のために使用されうる適したポリエーテルの例は、Ｃ1〜Ｃ30−アルカノール、Ｃ2〜Ｃ60−アルカンジオール、Ｃ1〜Ｃ30−アルキルシクロヘキサノール又はＣ1〜Ｃ30−アルキルフェノールと、１ヒドロキシル基あたり１〜３０ｍｏｌのエチレンオキシド及び／又はプロピレンオキシド及び／又はブチレンオキシドとの、特に１ヒドロキシル基あたり１〜３０ｍｏｌのプロピレンオキシド及び／又はブチレンオキシドとの反応によって得られる、ポリオキシ−Ｃ2〜Ｃ4−アルキレン基、特にポリオキシ−Ｃ3〜Ｃ4−アルキレン基を含む化合物である。このタイプの化合物は、例えば、ＥＰ−Ａ ３１０ ８７５号、ＥＰ−Ａ ３５６ ７２５号、ＥＰ−Ａ ７００ ９８５号、及びＵＳ−Ａ ４，８７７，４１６号において記載されている。
【００７９】
適したポリエーテルについての典型的な例は、トリデカノールプロポキシレート、トリデカノールブトキシレート、イソトリデカノールブトキシレート、２−プロポキシヘプタノールプロポキシレート、２−プロピルヘプタノールブトキシレート、イソノニルフェノールブトキシレート、ポリイソブテノールブトキシレート及びポリイソブテノールプロポキシレートである。好ましい一実施形態において、キャリヤー油成分（Ｆ）は、Ｃ1〜Ｃ30−アルカノール、特にＣ6〜Ｃ18−アルカノール、又はＣ2〜Ｃ60−アルカンジオール、特にＣ8〜Ｃ24−アルカンジオールから得られ、かつ合計で１〜３０ｍｏｌ、特に５〜３０ｍｏｌのプロピレンオキシド及び／又はブチレンオキシドから得られる少なくとも１つのポリエーテルを含む。他の合成キャリヤー油及び／又は鉱物キャリヤー油は、少量で成分（Ｆ）中に存在してよい。
【００８０】
本発明の記載内容において、ガソリン燃料は、ガソリンの範囲で沸騰する液体炭化水素蒸留燃料を意味する。これは、主に、“軽油”及び“重油”のガソリン種を含む全てのタイプのガソリンにおける使用に適している。ガソリン燃料は、大量の他の燃料、例えばエタノールを含んでもよい。
【００８１】
典型的に、本発明に従って使用されてよいガソリン燃料は、さらに、１つ以上の次の特徴を有する。
【００８２】
ガソリン燃料の芳香族含有率は、好ましくは、５０体積％以下及びより好ましくは３５体積％以下である。芳香族含有率の好ましい範囲は、１〜４５体積％及び特に５〜３５体積％である。
【００８３】
ガソリン燃料の硫黄含有率は、好ましくは１００質量ｐｐｍ以下及び好ましくは１０質量ｐｐｍ以下である。硫黄含有率の好ましい範囲は、０．５〜１５０質量ｐｐｍ及び特に１〜１０質量ｐｐｍである。
【００８４】
ガソリン燃料は、２１体積％以下、好ましくは１８体積％以下、及びより好ましくは１０体積％以下のオレフィン含有率を有する。オレフィン含有率の好ましい範囲は、０．１〜２１体積％、及び特に２〜１８体積％である。
【００８５】
ガソリン燃料は、１．０体積％以下及び好ましくは０．９体積％以下のベンゼン含有率を有する。ベンゼン含有率の好ましい範囲は、０〜１０体積％及び好ましくは０．０５〜０．９体積％である。
【００８６】
ガソリン燃料は、４５質量％以下、好ましくは０〜４５質量％、及び最も好ましくは０．１〜３．７質量％（第一のタイプ）又は最も好ましくは３．７〜４５質量％（第二のタイプ）の酸素含有率を有する。前記第二タイプのガソリン燃料は、好ましくは天然源、例えば植物に由来する低級アルコール、例えばメタノール又は特にエタノールと、鉱油ベースのガソリン、すなわち粗油から製造される通常のガソリンとの混合物である。かかるガソリンの例は、“Ｅ８５”、８５体積％のエタノールと１５体積％の鉱油ベースのガソリンとの混合物である。１００％の低級アルコール、特にエタノールを含有する燃料も適している。
【００８７】
アルコール、特にエタノール、及び前記段落において挙げた第一のタイプのガソリン燃料中のエーテルの含有率は、通常比較的低い。典型的な最大含有率は、メタノールについて３体積％、エタノールについて５体積％、イソプロパノールについて１０体積％、ｔｅｒｔ−ブタノールについて７体積％、イソブタノールについて１０体積％、及び分子で５個以上の炭素原子を有するエーテルについて１５体積％である。
【００８８】
例えば、３８体積％以下の芳香族含有率、並びに同時に２１体積％以下のオレフィン含有率、５０質量ｐｐｍ以下の硫黄含有率、１．０体積％以下のベンゼン含有率、及び０．１〜２．７質量％の酸素含有率を有するガソリン燃料を適用してよい。
【００８９】
ガソリン燃料の夏期蒸気圧は、通常７０ｋＰａ以下及び好ましくは６０ｋＰａ以下（３７℃で）である。
【００９０】
ガソリン燃料のリサーチ法オクタン価（“ＲＯＮ”）は、通常９０〜１００である。対応するモーター法オクタン価（“ＭＯＮ”）についての通常の範囲は、８０〜９０である。
【００９１】
前記特徴は、従来法によって定義される（ＤＩＮ ＥＮ ２２８）。
【００９２】
ガソリン燃料は、本発明の記載内容において、一般に１〜１０００質量ｐｐｍ、好ましくは５〜５００質量ｐｐｍ、より好ましくは３〜３００質量ｐｐｍ、最も好ましくは５〜２００質量ｐｐｍ、例えば１０〜１００質量ｐｐｍの量で、前記ヒドロカルビル置換したジカルボン酸を含む。
【００９３】
清浄剤作用（Ｂ）を有する添加剤、又は清浄剤作用を有する複数のかかる添加剤の混合物は、ガソリン燃料中で、典型的に１０〜２０００質量、好ましくは２０〜１０００質量ｐｐｍ、より好ましくは５０〜５００質量ｐｐｍ、最も好ましくは３０〜２５０質量ｐｐｍ、例えば５０〜１５０質量ｐｐｍの量で存在する。
【００９４】
添加剤成分（Ｃ）としての１つ以上のヘーズ除去剤は、任意の場合に、ガソリン燃料中で、一般に０．５〜１００質量ｐｐｍ、好ましくは１〜５０質量ｐｐｍ、より好ましくは１．５〜４０質量ｐｐｍ、最も好ましくは２〜３０質量ｐｐｍ、例えば３〜２０質量ｐｐｍの量で存在する。
【００９５】
１つ以上のキャリヤー油（Ｆ）は、任意の場合に、ガソリン燃料中で、通常１０〜３０００質量ｐｐｍ、好ましくは２０〜１０００質量ｐｐｍ、より好ましくは５０〜７００質量ｐｐｍ、最も好ましくは７０〜５００質量ｐｐｍ、例えば１５０〜３００質量ｐｐｍの量で存在する。
【００９６】
本発明の主題は、
（Ａ）０．０１〜４０質量％、好ましくは０．０５〜２０質量％、より好ましくは０．１〜１０質量％の、１０〜３０００個の炭素原子の少なくとも１つのヒドロカルビル置換基を含むヒドロカルビル置換したジカルボン酸、
（Ｂ）５〜４０質量％、好ましくは１０〜３５質量％、より好ましくは１５〜３０質量％の
（ｉ）コハク酸無水物に由来する部分を有し、ヒドロキシル基及び／又はアミノ基及び／又はアミド基及び／又はイミド基を有する化合物、
（ｉｖ）ポリイソブテニルモノアミン及びポリイソブテニルポリアミン、
（ｖ）モノアミノ基又はポリアミノ基によって末端化され、少なくとも１つの窒素原子が塩基性の特性を有する、ポリオキシ−Ｃ2〜Ｃ4−アルキレン化合物
から選択される、清浄剤作用を有する少なくとも１つの添加剤
（Ｃ）０〜５質量％、好ましくは０．０１〜５質量％、より好ましくは０．０２〜３．５質量％、最も好ましくは０．０５〜２質量％の
（Ｃ１）エチレンオキシド、プロピレンオキシド、ブチレンオキシド、スチレンオキシド及び／又は他のオキシドのアルコキシル化コポリマー、例えばエポキシベースの樹脂、
（Ｃ２）アルコキシル化フェノールホルムアルデヒド樹脂
から選択される少なくとも１つのヘーズ除去剤、
（Ｅ）０〜８０質量％、好ましくは５〜５０質量％、より好ましくは１０〜４０質量％の少なくとも１つの溶媒又は希釈剤、
（Ｆ）２〜５０質量％、好ましくは１０〜５０質量％、より好ましくは２５〜４５質量％の、実質的に窒素を有さない、合成キャリヤー油及び鉱物キャリヤー油から選択される少なくとも１つのキャリヤー油
を含む、ガソリン燃料油中での使用に適した燃料添加剤濃縮物でもある。
【００９７】
それぞれの場合に、成分（Ａ）、（Ｂ）、（Ｃ）、（Ｄ）、（Ｅ）及び（Ｆ）の合計は、１００％である。
【００９８】
前記ガソリン燃料は、ヒドロカルビル置換したジカルボン酸（Ａ）及び成分（Ｂ）及び任意の場合に（Ｃ）及び／又は（Ｆ）に加えて、共添加剤として、それらの慣例的な量で、他の慣例的な添加剤成分、特に腐食抑制剤、他の解乳化剤、酸化防止剤及び安定剤、金属不活性化剤、帯電防止剤、摩擦調整剤、染料（マーカー）及び／又は希釈剤及び溶媒、例えば前記成分（Ｅ）を含んでよい。前記ガソリン燃料添加剤濃縮物は、それらの慣例的な量で、一定の前記共添加剤、例えば腐食向上剤、他の解乳化剤、脱泡剤、酸化防止剤及び安定剤、金属不活性化剤、帯電防止剤及び摩擦調整剤を含む。
【００９９】
次の実施例は、本発明を制限することなく説明することを意図している。
【０１００】
実施例
本発明のヒドロカルビル置換したジカルボン酸（Ａ）の、それぞれ清浄剤作用を有する添加剤を含有するディーゼル燃料及びガソリン燃料から水を分離する能力を評価するために、ＡＳＴＭ Ｄ １０９４に従った対応する標準試験法を適用した。この試験のために、ガラスシリンダーを、水緩衝液２０ｍｌ及びディーゼル燃料８０ｍｌで満たし、そして２分間振盪した。生じたエマルションを固定時間（５分間）で沈降させた後に、水損失の量（体積）及び１５ｍｌの水分離の時間を測定した。
【０１０１】
前記試験を、１００％の化石源の中間留分から構成される市販のディーゼル燃料（“ＤＦ１”）、化石源の中間留分９５質量％から構成されるディーゼル燃料及び５質量％のＦＡＭＥを含有する市販のバイオディーゼル（“ＤＦ２”）、及びＥＮ ２２８に従った市販のエタノール不含ガソリン燃料（“ＧＦ”）によって提供した。
【０１０２】
２つの異なるヒドロカルビル置換したジカルボン酸（Ａ）を使用した：Ａ１はポリイソブテニルコハク酸であり、Ａ２はポリイソブテニルコハク酸無水物であった。Ａ２を、ポリイソブテン（１０００のＭn及び７０ｍｏｌ％の末端ビニリデン二重結合の含有率を有する）とマレイン酸無水物との熱エン反応によって製造し、Ａ１を、１００℃で１６時間の等モル量の水でのＡ２の加水分解によって製造した。
【０１０３】
Ａ１又はＡ２を、それぞれ、成分（Ｂ）（ｉ）として、ポリイソブテニルコハク酸無水物（ポリイソブテニル基は１０００のＭnを有する）とメチルサリチレートで実質的に四級化されている３−（ジメチルアミノ）プロピルアミンとのイミド反応生成物、成分（Ｃ２）として、商標名Ｔｏｌａｄ（登録商標）２８９８でＢａｋｅｒ Ｐｅｔｒｏｌｉｔｅ社から市販されているヘーズ除去剤及び市販のポリエーテル改質ポリシロキサン脱泡剤（“ＡＦ”）を含有する、通常のディーゼル洗浄パッケージに混和した。燃料／水試験系におけるＡ１／Ａ２、（Ｂ）（ｉ）、（Ｃ２）及びＡＦの前記化合物の濃度を以下の表で提供する。
【０１０４】
次の表１は、測定の結果を示す：
【表１】
2016526599.tif 000002
【０１０５】
Ａ１を、成分（Ｂ）（ｉ）として、ポリイソブテニルコハク酸無水物（ポリイソブテニル基は１０００のＭnを有する）とメチルサリチレートで実質的に四級化されている３−（ジメチルアミノ）プロピルアミンとのイミド反応生成物、成分（Ｂ）（ｉｉ）として、商標名Ｋｅｒｏｃｏｍ（登録商標）（ＥＰ−Ａ ０ ２４４ ６１６号による）で市販されているポリイソブテニルモノアミン、及び成分（Ｃ２）として、商標名Ｔｏｌａｄ（登録商標）２８９８でＢａｋｅｒ Ｐｅｔｒｏｌｉｔｅ社から市販されているヘーズ除去剤を含有する、通常のガソリン洗浄パッケージに混和した。燃料／水試験系におけるＡ１、（Ｂ）（ｉ）、（Ｂ）（ｉｉ）及び（Ｃ２）の前記化合物の濃度を以下の表で提供する。
【０１０６】
次の表２は、測定の結果を示す：
【表２】
2016526599.tif 000003
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
（Ａ）１０〜３０００個の炭素原子の少なくとも１つのヒドロカルビル置換基を含むヒドロカルビル置換したジカルボン酸の、（Ｂ）清浄剤作用を有する少なくとも１つの添加剤を含む、燃料油及びガソリン燃料からの水の分離を改良又は促進するための使用であって、ヒドロカルビル置換したジカルボン酸（Ａ）が、２０〜２００個の炭素原子を含む１つのポリイソブテニル置換基を有するポリイソブテニルコハク酸である、前記使用。
【請求項２】
（Ａ）の少なくとも１つのヒドロカルビル置換基が、２０〜２００個の炭素原子を含むポリイソブテニル置換基である、請求項１に記載の使用。
【請求項３】
ヒドロカルビル置換したジカルボン酸（Ａ）が、一列に１〜１０個の炭素原子の２つのカルボン酸官能基間でヒドロカルビレン架橋基を含む、請求項１に記載の使用。
【請求項４】
添加剤成分（Ｂ）が、
（ｉ）コハク酸無水物に由来する部分を有し、かつヒドロキシル基及び／又はアミノ基及び／又はアミド基及び／又はイミド基を有する化合物、
（ｉｉ）無水物と反応性の少なくとも１つの酸素又は窒素含有基及びさらに少なくとも１つの四級化可能なアミノ基を含む化合物をポリカルボン酸無水物化合物に添加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
（ｉｖ）ポリイソブテニルモノアミン及びポリイソブテニルポリアミン、
（ｖ）モノアミノ基又はポリアミノ基によって末端化したポリオキシ−Ｃ2〜Ｃ4−アルキレン化合物、ここで少なくとも１つの窒素原子は塩基性の特性を有する
から選択される、請求項１から３までのいずれか１項に記載の使用。
【請求項５】
燃料油又はガソリン燃料が、さらに、添加剤成分（Ｃ）として、
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤を含む、請求項１から４までのいずれか１項に記載の使用。
【請求項６】
燃料油が、さらに、添加剤成分（Ｄ）として少なくとも１つのセタン価向上剤を含む、請求項１から５までのいずれか１項に記載の使用。
【請求項７】
燃料油が、
（ａ）０．１〜１００質量％の範囲までの脂肪酸エステルを基礎とする少なくとも１つのバイオ燃料、及び
（ｂ）０〜９９．９質量％の範囲までの、実質的に炭化水素混合物であり脂肪酸エステルを有さない、化石源及び／又は合成源及び／又は植物及び／又は動物源の中間留分
からなる、請求項１から６までのいずれか１項に記載の使用。
【請求項８】
燃料油が、もっぱら、実質的に炭化水素混合物であり脂肪酸エステルを有さない、化石源及び／又は合成源及び／又は植物及び／又は動物源の中間留分からなる、請求項１から７までのいずれか１項に記載の使用。
【請求項９】
燃料油が、少なくとも１つの次の性質：
（α）５０ｍｇ／ｋｇ未満の硫黄含有率、
（β）８質量％の多環式芳香族炭化水素の最大含有率、
（γ）３６０℃以下で９５％の蒸留点（ｖｏｌ／ｖｏｌ）
を有する、請求項１から８までのいずれか１項に記載の使用。
【請求項１０】
以下、
（Ａ）０．０１〜４０質量％の、１０〜３０００個の炭素原子の少なくとも１つのヒドロカルビル置換基を含むヒドロカルビル置換したジカルボン酸であって、２０〜２００個の炭素原子を含む１つのポリイソブテニル置換基を有するポリイソブテニルコハク酸であるヒドロカルビル置換したジカルボン酸、
（Ｂ）５〜４０質量％の
（ｉ）コハク酸無水物に由来する部分を有し、ヒドロキシル基及び／又はアミノ基及び／又はアミド基及び／又はイミド基を有する化合物、
（ｉｉ）無水物と反応性の少なくとも１つの酸素又は窒素含有基及びさらに少なくとも１つの四級化可能なアミノ基を含む化合物をポリカルボン酸無水物化合物に付加し、続いて四級化することによって得られる、酸の存在で又は酸を有さない方法で四級化した窒素化合物、
（ｉｉｉ）ポリテトラヒドロベンゾキサジン及びビステトラヒドロベンゾキサジン、
から選択される清浄剤作用を有する少なくとも１つの添加剤
（Ｃ）０〜５質量％の
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤、
（Ｄ）０〜７５質量％の少なくとも１つのセタン価向上剤、
（Ｅ）０〜５０質量％の少なくとも１つの溶媒又は希釈剤
を含む、燃料油中での使用に適した燃料添加剤濃縮物。
【請求項１１】
以下、
（Ａ）０．０１〜４０質量％の、１０〜３０００個の炭素原子の少なくとも１つのヒドロカルビル置換基を含むヒドロカルビル置換したジカルボン酸であって、２０〜２００個の炭素原子を含む１つのポリイソブテニル置換基を有するポリイソブテニルコハク酸であるヒドロカルビル置換したジカルボン酸、
（Ｂ）５〜４０質量％の
（ｉ）コハク酸無水物に由来する部分を有し、ヒドロキシル基及び／又はアミノ基及び／又はアミド基及び／又はイミド基を有する化合物、
（ｉｖ）ポリイソブテニルモノアミン及びポリイソブテニルポリアミン、
（ｖ）モノアミノ基又はポリアミノ基によって末端化したポリオキシ−Ｃ2〜Ｃ4−アルキレン化合物、ここで少なくとも１つの窒素原子は塩基性の特性を有する
から選択される清浄剤作用を有する少なくとも１つの添加剤
（Ｃ）０〜５質量％の
（Ｃ１）エチレンオキシド、プロピレンオキシド、ブチレンオキシド、スチレンオキシド及び／又は他のオキシドのアルコキシル化コポリマー、
（Ｃ２）アルコキシル化フェノールホルムアルデヒド樹脂
から選択される少なくとも１つのヘーズ除去剤、
（Ｅ）０〜８０質量％の少なくとも１つの溶媒又は希釈剤、
（Ｆ）２〜５０質量％の、実質的に窒素を有さない、合成キャリヤー油及び鉱物キャリヤー油から選択される少なくとも１つのキャリヤー油
を含む、ガソリン燃料中での使用に適した燃料添加剤濃縮物。
【国際調査報告】
2016526599.tif 000004
2016526599.tif 000005
2016526599.tif 000006